(57)【要約】【課題】本発明は、サブクリーナ一体型エンジンカバーに関し、作業機械におけるエンジンカバーのコスト低減を図り、エアクリーナの長寿命化を図ることことが課題である。  【解決手段】主クリーナとサブクリーナ３とを有するエンジン１１の上位置に配設されるエンジンカバー１であって、当該エンジンカバーに前記サブクリーナ３がその吸気口を該エンジンカバーの裏側に配設して一体に設けられているサブクリーナ一体型エンジンカバー１とする。【選択図】図３
2006022659.tif 000002
【特許請求の範囲】
【請求項１】
主クリーナとサブクリーナとを有するエンジンの上位置に配設されるエンジンカバーであって、当該エンジンカバーに前記サブクリーナがその吸気口を該エンジンカバーの裏側に配設して一体に設けられていること、
特徴とするサブクリーナ一体型エンジンカバー。
【請求項２】
吸気口は、カバー本体における向かい合う中空側壁に設けられた二重の吸気口であること、
を特徴とする請求項１に記載のサブクリーナ一体型エンジンカバー。
【請求項３】
エンジンカバーのサブクリーナ部分は、上部が開口しており、この開口部には、クリーナカバーとカバーパッキンとが設けられて閉蓋され、前記カバーパッキンによって、前記開口部からの吸気を遮断していること、
を特徴とする請求項１または２に記載のサブクリーナ一体型エンジンカバー。
【請求項４】
エンジンカバーが、燃料タンクをカバーしていること、
を特徴とする請求項１乃至３のいずれかに記載のサブクリーナ一体型エンジンカバー。
【発明の詳細な説明】
【技術分野】
【０００１】
本発明は、例えば、路盤を締め固める転圧機やその他の作業用機械におけるエンジンの、サブクリーナ一体型エンジンカバーに関するものである。
【背景技術】
【０００２】
従来、例えば、転圧機等の作業機械におけるエンジンでは、作業時の振動で路盤から砂埃が舞い上がり、それがエンジン用のクリーナをすぐ目詰まりさせてしまうので、図５に示すように、本体１０に設けられた作業機用エンジン１１があって、そのエンジン用のエアクリーナ１２の他に、サブクリーナ１３を別体に備えている作業機械が知られている。また、エンジン用のエアクリーナがエンジンカバーに一体に形成されているものが知られている（特許文献１，２参照）。
【特許文献１】特開２００１−２３４８２１号公報
【特許文献２】特開平７−１７２６９号公報  これにより、メンテナンスの向上を図りエンジンの寿命を延ばすものである。
【発明の開示】
【発明が解決しようとする課題】
【０００３】
しかし、従来において、主エアクリーナ１２の他にサブクリーナ１３を有する作業機械では、サブクリーナの吸気口１５が低い位置にあり、また本体１０の上方に設けられているため、路盤１４を押圧して舞い上がった砂埃等を吸引しやすく、十分に目的を達成していない場合があり、更には、サブクリーナ専用のカバーであるためにコストが嵩むこととなる。本発明は、このような課題を解決するために提案されたものである。
【課題を解決するための手段】
【０００４】
本発明に係るサブクリーナ一体型エンジンカバーの上記課題を解決して目的を達成するための要旨は、主クリーナとサブクリーナとを有するエンジンの上位置に配設されるエンジンカバーであって、当該エンジンカバーに前記サブクリーナがその吸気口を該エンジンカバーの裏側に配設して一体に設けられていることである。
【０００５】
前記吸気口は、カバー本体における向かい合う中空側壁に設けられた二重の吸気口であること、；
前記エンジンカバーのサブクリーナ部分は、上部が開口しており、この開口部には、クリーナカバーとカバーパッキンとが設けられて閉蓋され、前記カバーパッキンによって、前記開口部からの吸気を遮断していること、；
前記エンジンカバーが、燃料タンクをカバーしていること、；
を含むものである。
【発明の効果】
【０００６】
本発明のサブクリーナ一体型エンジンカバーは、エンジンの上位置に配置されてそこにサブクリーナを一体に装備しているので、路盤等から舞い上がる埃などの吸い込みが改善される。
サブクリーナ用の吸気口が、エンジンカバーの裏側に配設してあり、更に、カバー本体において向かい合う中空側壁に設けられた二重の吸気口であるので、洗浄水や埃等の侵入を効率的に防止して、エンジン寿命を長くすることができる。
サブクリーナ設置部をエンジンカバーに一体に形成しているので、部品点数が削減され部品管理も容易となり、組立容易となってコスト削減となる。
また、このエンジンカバーにより雨水等からエンジンが保護されると共に、燃料タンクをもカバーするので、燃料への紫外線対策ともなり燃料タンクが保護される。
【発明を実施するための最良の形態】
【０００７】
本発明に係るサブクリーナ一体型エンジンカバー１を説明する。なお、従来例に対応する部分には、理解を容易にするため従来例と同一の符号を付けて説明する。このエンジンカバー１は、図１に示すように、例えば、路盤１４を均平板を上下振動させて均す転圧機等の作業機械２における、合成樹脂製のカバー本体１ａに、サブクリーナ３が一体に設けられているものである。
【０００８】
前記作業機械２におけるエンジン１１には、埃等による目詰まりを防止するために、主クリーナ１２とサブクリーナ３とを有するものである。この両クリーナ１２，３には、エアーホース４が接続されている。
【０００９】
また、前記エンジンカバー１は、前記エンジン１１の上位置に配設される。そして、その端部は、燃料タンク５の上まで達しており、更に、その側面もカバーしている。このように、エンジンカバー１のカバー本体が、エンジン１１の上部にあって大きくカバーしているので、埃等からカバーすると共に雨水対策ともなり、周囲に対する防音対策ともなる。
【００１０】
前記カバー本体１ａは、合成樹脂製でブロー成形される。その成形の際には、サブクリーナ用の吸気口１ｂ，１ｅが、図３乃至図４に示すように、エンジンカバー１の裏側に配設されている。このカバー本体１ａは、ブロー成形により形成されるので、中空体の所定の壁面を加工して前記吸気口１ｂ，１ｅの二重の吸気口を形成することができる。
【００１１】
よって、洗浄水や埃等が、最初の関門である前記吸気口１ｂを通過して内部に侵入しても、更に、第２関門の吸気口１ｅを通過することは困難であって、カバー本体１ａの空間部１ｆに溜まるだけである。よって、サブクリーナ３のエレメント３ａは保護されて、高圧洗浄水の洗浄水や雨水の浸入が防止される。
【００１２】
また、図２乃至図３に示すように、エンジンカバー１のサブクリーナ３部分は、上部が開口しており、この開口部１ｃには、クリーナカバー６とカバーパッキン７とが設けられて、取付螺子８によって閉蓋される。前記カバーパッキン７によって、前記開口部１ｃの全周に亘り密閉して、この開口部１ｃからの吸気を遮断している。
【００１３】
更に、前記サブクリーナ部分１ｃの内部空間にはエレメント３ａが収納され、その底部には、エアーホース用の開口部１ｄが設けられている。前記開口部１ｄには、接続用のエアパイプ９とパイプパッキン９ａが装着され、裏側にはパイプナット９ｂが前記エアパイプ９の外に突出している螺子部に裸着される。このエアパイプ９の外側端部に前記エアホース４の片側端部が接続される。
【００１４】
このようにしてなる本発明のエンジンカバー１によれば、図１に示すように、例えば、路盤１４を転圧する転圧機のエンジン１１を始動させると、図４に示すように、ブロー成形により二重にされたカバー本体１ａの下側の第１の吸気口１ｂから空気が吸い込まれ、それが第２の吸気口１ｅからサブクリーナ３内部に進入する。
【００１５】
そして、サブクリーナ３内において、エレメント３ａにより前記空気が清浄化され、きれいになった空気がエアーホース４から主クリーナ１２へと吸気される。このように、ブロー成形により二重に成形したカバー本体１ａの一部外側を凹ませて、サブクリーナ３用の空間部を形成し、その空間部の開口部１ｃに外気を遮断するクリーナカバー６とカバーパッキン７とを設け、その一方で、向かい合う二重の側壁に吸気口１ｂ，１ｅを設けて前記空間部のサブクリーナ３に連通させることで、カバー本体１ａの裏側に吸気口が設けられて洗浄水や雨水等の侵入を防止するようにしたものである。
【図面の簡単な説明】
【００１６】
【図１】本発明に係るサブクリーナ一体型エンジンカバー１を有した作業機械２の側面図である。
【図２】同本発明のサブクリーナ一体型エンジンカバー１の分解斜視図である。
【図３】同サブクリーナ一体型エンジンカバー１のサブクリーナ３を拡大して示す縦断面図である。
【図４】同サブクリーナ一体型エンジンカバー１の使用状態を説明する説明図である。
【図５】従来例に係る作業機械の側面図である。
【符号の説明】
【００１７】
１          サブクリーナ一体型エンジンカバー、
１ａ        カバー本体、                        １ｂ，１ｅ    吸気口、
１ｃ        開口部、                            １ｄ          開口部、
１ｆ        空間部、
２          作業機械、
３          サブクリーナ、                      ３ａ          エレメント、
４          エアーホース、
５          燃料タンク、
６          クリーナカバー、
７          カバーパッキン、
８          取付螺子、
９          エアパイプ、                        ９ａ          パイプパッキン、  ９ｂ        パイプナット、
１０        本体、  
１１        エンジン、
１２        主エアクリーナ、
１３        サブクリーナ、
１４        路盤、
１５        吸気口。
【図１】
2006022659.tif 000003
【図２】
2006022659.tif 000004
【図３】
2006022659.tif 000005
【図４】
2006022659.tif 000006
【図５】
2006022659.tif 000007